(57)【要約】【課題】大型映像表示装置の保守、調整の際に必要なスペースを縮小する。【解決手段】本体部１上部に取り付けられたスライドガイド３と保護ガラス枠２０上部に取り付けられたローラー２１より構成されるスライド移動機構３０を駆動手段４０により作動し、保護ガラス枠２０を本体部１前方へ平行移動させる。スライドガイド３は、保護ガラス枠２０を本体部１側へ戻す際にはローラー２１が保護ガラス枠２０の自重によって本体部１側へ移動する向きの傾斜を有し、また保護ガラス枠２０を本体部１の前方に移動させる際には傾斜を無くして水平となる。これにより、本体部１の前方に十分な空間があれば本体部１と保護ガラス枠２０の間隔を十分にとることができ、保守、調整の際に必要なスペースが縮小される。また、保護ガラス枠２０の重量が転がり摩擦により軽減され、人力で駆動でき、操作が迅速且つ容易に行える安価な大型映像表示装置１００が得られる。【選択図】        図１
2004317862.tif 000002
【特許請求の範囲】
【請求項１】
表示部を有する本体部、この本体部の前面に設けられ前記表示部の周囲を覆う額縁状の保護枠、および前記保護枠を前記本体部の前方へ移動させるスライド移動機構を備え、前記スライド移動機構は、一端部が前記本体部に取り付けられ他端部が前記本体部の前方に向かって延長されたスライドガイドと、前記保護枠に回転可能に取り付けられ前記スライドガイド上を転がり移動するローラーとを有することを特徴とする大型映像表示装置。
【請求項２】
請求項１記載の大型映像表示装置であって、前記スライド移動機構は、駆動手段により駆動および制御されることを特徴とする大型映像表示装置。
【請求項３】
請求項１記載の大型映像表示装置であって、前記スライドガイドは、前記保護枠を前記本体部側へ戻す際には前記保護枠の自重によって前記ローラーが前記本体部側へ移動する向きの傾斜を有し、また前記保護枠を前記本体部の前方に移動させる際には前記傾斜を無くして水平となるように切り換える機構を備えていることを特徴とする大型映像表示装置。
【請求項４】
請求項１記載の大型映像表示装置であって、前記スライドガイドは、前記保護枠を前記本体部側へ戻す際には前記保護枠の自重によって前記ローラーが前記本体部側へ移動する向きの傾斜を有し、また前記保護枠を前記本体部の前方に移動させる際には前記保護枠の自重によって前記ローラーが前記本体部前方へ移動する向きの傾斜を有するように切り換える機構を備えていることを特徴とする大型映像表示装置。
【請求項５】
請求項２記載の大型映像表示装置であって、前記駆動手段は前記保護枠の左右両側に設けられ、またこれらの駆動手段はシャフトによって連結されていることを特徴とする大型映像表示装置。
【請求項６】
請求項１記載の大型映像表示装置であって、前記保護枠は前記本体部と接する面の周縁部に前記本体部と密着するためのパッキンを配置されていることを特徴とする大型映像表示装置。
【請求項７】
請求項６記載の大型映像表示装置であって、前記パッキンは、前記保護枠の自重により前記本体部側に圧力をかけられていることを特徴とする大型映像表示装置。
【発明の詳細な説明】
【０００１】
【発明の属する技術分野】
本発明は、表示部を有する本体部とこの本体部の前面に設けられ表示部の周囲を覆う保護枠を備えた大型映像表示装置に関し、特にその保守、調整の際の省スペース化に関する。
【０００２】
【従来の技術】
従来の大型映像表示装置においては、例えば特許文献１に示すように、その保守、調整を行う際に、表示部を本体部に対してリンク機構とネジ送り機構により前方斜め方向に平行移動させるように連結し、表示部と本体部の間に平行移動による必要最小限のメンテナンススペースを得ていた。
【０００３】
【特許文献１】
特開昭６０−２４３６９２号公報（第４図）
【０００４】
【発明が解決しようとする課題】
しかしながら、特許文献１に示されたような従来の大型映像表示装置では、映像表示装置の本体部のサイズによりリンク機構の寸法が制限されるという問題があった。リンク機構の寸法が十分にとれない場合、表示部を平行移動後の本体部と表示部の間隔が狭く、本体部の前方下半分のメンテナンススペースが制約される。また、表示部を開放時に表示部が本体部の下面部より下方に平行移動するため、設置場所に制約がある等の問題があった。
【０００５】
本発明は、上記のような問題点を解消するためになされたもので、保守、調整の際に必要なスペースを縮小することにより設置場所の制約を解消し、さらに保守、調整の際の操作を迅速且つ容易に行える安価な大型映像表示装置を提供することを目的とする。
【０００６】
【課題を解決するための手段】
本発明に係わる大型映像表示装置は、表示部を有する本体部と、この本体部の前面に設けられ表示部の周囲を覆う額縁状の保護枠と、保護枠を本体部の前方へ移動させるスライド移動機構を備え、スライド移動機構は、一端部が本体部に取り付けられ他端部が本体部の前方に向かって延長されたスライドガイドと、保護枠に回転可能に取り付けられスライドガイド上を転がり移動するローラーとを有するので、本体部の前方に十分な空間があれば本体部と保護枠の間隔を十分にとることができ、保守、調整の際に必要なスペースが縮小される。
【０００７】
【発明の実施の形態】
実施の形態１．
以下に、本発明の実施の形態を図面に基づいて説明する。図１は、本発明の実施の形態１である大型映像表示装置を示す概略斜視図である。本実施の形態における大型映像表示装置１００は例えば反射型液晶ディスプレイであり、その本体部１は前面に映像表示部２を有し、この映像表示部２の周囲を額縁状の保護ガラス枠２０によって覆われている。保護ガラス枠２０は、液晶ディスプレイを紫外線から保護し、また筐体内部の温度が急激に変化しないように保つためのもので、材質は透明であることが望ましく、合わせガラス・アクリルガラスやポリカーボネイト等が用いられる。また、大型映像表示装置１００は、保護ガラス枠２０を本体部１の前方へ平行移動させるスライド移動機構３０を備えている。このスライド移動機構３０は、一端部３１が本体部１に取り付けられ他端部３２が本体部１の前方に向かって延長されたスライドガイド３と、保護ガラス枠２０に回転可能に取り付けられスライドガイド３上を転がり移動するローラー２１より構成されている。本実施の形態では、スライドガイド３は本体部１上部の２ヶ所に設けられ、本体部１の前面に対して直角の方向に延びており、ローラー２１は保護ガラス枠２０の上部２ヶ所に取り付けられている。また、スライド移動機構３０を作動および制御する駆動手段４０として、保護ガラス枠２０下側の左右両側に位置するようにピニオン２２が設けられ、これらのピニオン２２はシャフト２３によって連結されている。シャフト２３は、ベアリングユニット２４により保護ガラス枠２０の底面に取り付けられている。なお、シャフト２３の両端はハンドル（図示せず）が取り付けられるように断面が四角形に加工されている（図示せず）。本体部１下部の左右両側には、ピニオン２２と噛み合うようにラック４が設けられている。さらに、保護ガラス枠２０の本体部１と接する面の周縁部にはパッキン２５が配置され、防水シールを行っている。
【０００８】
本実施の形態における大型映像表示装置１００のスライド移動機構３０について、図２を用いてさらに詳しく説明する。スライドガイド３の内側には、図２（ａ）に示すように、ローラー２１の形状に合わせたローラーガイド５が取り付けられている。また、スライドガイド３の本体部１側には、ローラーガイド５と隣接して傾斜板６が設けられている。この傾斜板６はピン７を支点として本体部１側へは傾くが、その反対側には傾斜板止め２９によって支えられるため傾かない。傾斜板６の下側には傾斜板６を上下させるための押上棒８とテコ部品９が設けられ、さらにテコ部品９には本体部１下方で傾斜板６の傾斜を操作するための連結用ワイヤ１０が接続されている。また、本体部１下部には連結用ワイヤー１１が取り付けられるテコ部品１３が設けられている。これらの連結用ワイヤー１０、１１はターンバックル１２により接続され張力を調整されている。テコ部品１３の先端には一連の動作を連動させるための連結棒１４が取り付けられており、この連結棒１４の中心にあたるようにテコ部品１３を上下させるジャッキボルト１５が取り付けられている。また、保護ガラス枠２０下側の左右両側に位置するように設けられたピニオン２２はシャフト２３によって連結され、シャフト２３の端面にはハンドル１７が取り付けられている。
本実施の形態における大型映像表示装置１００を組み立てる際には、スライドガイド３内側のローラーガイド５に、保護ガラス枠２０の上部に取り付けられたローラー２１を配置する。この時、保護ガラス枠２０下部に取り付けられたピニオン２２と本体部１下部に取り付けられたラック４が噛み合うように配置する。
【０００９】
次に、動作について図２を用いて説明する。まず、映像表示部２の保守、調整を行うために保護ガラス枠２０を本体部１の前方へ移動させる場合は、本体部１の下部に設置されたジャッキボルト１５を上方に押し上げる方向に回す。すると連結棒１４が押し上げられ、テコ部品１３の一端１３ａが上側に押し上げられる。テコ部品の他端１３ｂには連結用ワイヤー１１が取り付けられており、テコ部品１３がこの連結用ワイヤー１１を引き下げる。これにより連結用ワイヤー１１に接続された連結用ワイヤー１０も引き下げられ、連結用ワイヤー１０に接続されたテコ部品９の一端９ａが下方へ引き下げられる。テコ部品９の他端９ｂには押上棒８が取り付けられており、連結用ワイヤー１０によりテコ部品９の一端９ａが引き下げられると同時に押上棒８は押し上げられ、ピン７を支点とする傾斜板６を押し上げ、傾斜板６は水平な状態となる。この状態でハンドル１７を反時計周り（図中矢印Ａの方向）に回転させ、保護ガラス枠２０を本体部１の前方へ移動させる。本体部１と保護ガラス枠２０の間隔を十分にとり、この間で映像表示部２である液晶ディスプレの取り替えや清掃、または保護ガラス枠２０内側の清掃等のメンテナンスを行う。
【００１０】
メンテナンスが終了し、保護ガラス枠２０を本体部１側へ戻す場合には、ハンドル１７を時計周り（図中矢印Ｂの方向）に回転させ、ローラー２１が傾斜板６に乗る位置まで保護ガラス枠２０を本体部１側に近寄せる。この状態でジャッキボルト１５を下げる方向に回すと、連結棒１４が下がり、テコ部品１３の一端１３ａも下がるため、他端１３ｂが上がり、テコ部品１３が連結用ワイヤー１１、１０を引き下げる力が無くなる。これにより連結用ワイヤー１０に接続されたテコ部品９の一端９ａが上方へ上がり、押上棒８が下方に下がる。押上棒８の支えを失った傾斜板６は、押上棒８が下がった分、本体部１側に向かって傾斜を持つように動作する。このため傾斜板６に乗ったローラー２１は保護ガラス枠２０の自重により本体部１側へ転がり移動する。また、この状態においてはパッキン２５が保護ガラス枠２０の自重により本体部１側に圧力をかけられ、本体部１と保護ガラス枠２０が密着した状態となる。なお、本体部１の映像表示部２の周囲には水切り１６が設けられ、パッキン２５を通り抜けた水分は水切り１６に沿って下方へ流される。
【００１１】
以上のように、実施の形態１では、映像表示部２を有する本体部１と、この本体部１の前面に設けられ映像表示部２の周囲を覆う保護ガラス枠２０と、この保護ガラス枠２０を本体部１の前方へ平行移動させるスライド移動機構３０を備え、スライド移動機構３０は、一端部が本体部１に取り付けられ他端部が本体部１の前方に向かって延長されたスライドガイド３と、保護ガラス枠２０に回転可能に取り付けられスライドガイド３上を転がり移動するローラー２１とを有するので、本体部１に対して軽量な保護ガラス枠２０をローラー２１により本体部１前方に容易に移動させることができる。また、本体部１の前方に十分な空間があれば本体部１と保護ガラス枠２０の間隔を十分にとることができるため、保守、調整の際に必要なスペースが縮小され設置場所の制約が解消される。さらに、簡単な構造であるため安価で製造でき、十分な強度も得られる。また、スライド移動機構３０は駆動手段４０により駆動および制御されるので、保護ガラス枠２０の移動を途中で停止することもでき、安全に動作させることができる。また、スライドガイド３は、保護ガラス枠２０を本体部１側へ戻す際には保護ガラス枠２０の自重によってローラー２１が本体部１側へ移動する向きの傾斜を有し、また保護ガラス枠２０を本体部１の前方に移動させる際には傾斜を無くして水平となるように切り換える機構を備えているので、保護ガラス枠２０の重量が転がり摩擦により軽減され、人力でも十分に駆動でき、操作が迅速且つ容易に行える。また、駆動手段４０を構成するピニオン２２が保護ガラス枠２０の左右両側に設けられ、またこれらのピニオン２２はシャフト２３によって連結されているので、保護ガラス枠２０をスライド移動させる際に保護ガラス枠２０の両端を同時に移動させることができ、迅速且つ容易に保護ガラス枠２０の平行移動が行える。さらに、保護ガラス枠２０の本体部１と接する面の周縁部に本体部１と密着させるためのパッキン２５を配置し、このパッキン２５は保護ガラス枠２０の自重により本体部１側に圧力をかけられているので、防水性能に優れた屋外設置可能な大型映像表示装置１００が得られる。
【００１２】
実施の形態２．
図３は、本発明の実施の形態２である大型映像表示装置の構成を示す断面図である。本実施の形態における大型映像表示装置１０１は、上記実施の形態１による大型映像表示装置１００とほぼ同様の構成であるが、スライド移動機構３０ａを構成するスライドガイド３ａの構造が異なっている。本実施の形態では、スライドガイド３ａを全ストロークにわたって傾斜させるため、傾斜板６ａをスライドガイド３ａの先端部まで設け、その最先端に支点７ａを設けた。この傾斜板６ａの傾斜の方向を本体部１下部に設けられたジャッキボルト１５によって操作し、保護ガラス枠２０を本体部１の前方または本体部１側へスライド移動させるものである。
【００１３】
動作について説明する。まず、映像表示部２の保守、調整を行うために保護ガラス枠２０を本体部１の前方へ移動させる場合は、本体部１の下部に設置されたジャッキボルト１５を上方に押し上げる方向に回す。すると連結棒１４が押し上げられ、テコ部品１３の一端１３ａが上側に押し上げられる。テコ部品の他端１３ｂには連結用ワイヤー１１が取り付けられており、テコ部品１３がこの連結用ワイヤー１１を引き下げる。これにより連結用ワイヤー１１に接続された連結用ワイヤー１０も引き下げられ、連結用ワイヤー１０に接続されたテコ部品９の一端９ａが下方へ引き下げられる。テコ部品９の他端９ｂには押上棒８が取り付けられており、連結用ワイヤー１０によりテコ部品９の片側９ａが引き下げられると同時に押上棒８は押し上げられ、ピン７ａを支点とする傾斜板６ａを押し上げ、傾斜板６ａは本体部１前方に傾いた状態となり、傾斜板６ａに乗ったローラー２１は保護ガラス枠２０の自重により本体部１の前方へ移動する。本体部１と保護ガラスカバー２０の間隔を十分にとり、この間で映像表示部２である液晶ディスプレの取り替えや清掃、または保護ガラス枠２０内側の清掃等のメンテナンスを行う。メンテナンスが終了し、保護ガラス枠２０を本体部１側へ戻す場合には、ジャッキボルト１５を下げる方向に回すと、連結棒１４が下がり、テコ部品１３の一端１３ａも下がるため、他端１３ｂが上がり、テコ部品１３が連結用ワイヤー１１、１０を引き下げる力が無くなる。これにより連結用ワイヤー１０に接続されたテコ部品９の一端９ａが上方へ上がり、押上棒８が下方に下がる。押上棒８の支えを失った傾斜板６ａは、押上棒８が下がった分、本体部１側に向かって傾斜を持つように動作する。これにより傾斜板６ａに乗ったローラー２１は保護ガラス枠２０の自重により本体部１側へ移動する。また、この状態においてはパッキン２５が保護ガラス枠２０の自重により本体部１側に圧力をかけられ、本体部１と保護ガラス枠２０が密着した状態となる。
【００１４】
以上のように、実施の形態２では、スライドガイド３ａが保護ガラス枠２０を本体部１側へ戻す際には保護ガラス枠２０の自重によってローラー２１が本体部１側へ移動する向きの傾斜を有し、また保護ガラス枠２０を本体部１の前方に移動させる際にも保護ガラス枠２０の自重によってローラー２１が本体部１前方へ移動する向きの傾斜を有するように切り換える機構を備えているので、保護ガラス枠２０の移動をその自重を利用して行うことができ、上記実施の形態１に比べて駆動手段４０を構成するピニオン２２およびラック４等の部材を省略することができ、簡単な構造で安価な大型映像表示装置１０１が得られる。
【００１５】
実施の形態３．
図４は、本発明の実施の形態３である大型映像表示装置の構成を示す断面図である。本実施の形態における大型映像表示装置１０２は、保護ガラス枠２０をスライド移動させる駆動手段４０ａを補助するものとして、前方移動用ワイヤー１８と後方移動用ワイヤー１９を設けたものである。前方移動用ワイヤー１８は、スライドガイド３ｂの前方に設けられた前方移動用ワイヤー固定具１８ａに固定され、前方移動用ワイヤー案内ローラー１８ｂ、水平案内ローラー２６および垂直案内ローラー２７を経由して巻き取りプーリー２８に巻き取られる。また、後方移動用ワイヤー１９は、スライドガイド３ｂの後方に設けられた後方移動用ワイヤー固定具１９ａに固定され、後方移動用ワイヤー案内ローラー１９ｂ、水平案内ローラー２６および垂直案内ローラー２７を経由して巻き取りプーリー２８に巻き取られる。巻き取りプーリー２８は、ピニオン２２が取り付けられたシャフト２３の端に取り付けられ、ハンドル１７ａによって回転される。その他の構成については上記実施の形態１とほぼ同様であるため説明を省略する。ただし、本実施の形態におけるスライド移動機構３０ｂのスライドガイド３ｂには、傾斜板を設ける必要はなく、スライドガイド３ｂの全ストロークにわたって水平なローラーガイドを設ければよい。
【００１６】
動作について説明する。まず、映像表示部２の保守、調整を行うために保護ガラス枠２０を本体部１の前方へ移動させる場合は、ハンドル１７ａを反時計周り（図中矢印Ａの方向）に回転させ、スライドガイド３ｂの前方に設けられた前方移動用ワイヤー固定具１８ａに固定された前方移動用ワイヤー１８を、前方移動用ワイヤー案内ローラー１８ｂ、水平案内ローラー２６および垂直案内ローラー２７を経由して巻き取りプーリー２８に巻き取る。これにより、保護ガラス枠２０は本体部１の前方へ移動される。本体部１と保護ガラスカバー２０の間隔を十分にとり、この間で映像表示部２である液晶ディスプレの取り替えや清掃、または保護ガラス枠２０内側の清掃等のメンテナンスを行う。メンテナンスが終了し、保護ガラス枠２０を本体部１側へ戻す場合には、ハンドル１７ａを時計周り（図中矢印Ｂの方向）に回転させ、スライドガイド３ｂの後方に設けられた後方移動用ワイヤー固定具１９ａに固定された後方移動用ワイヤー１９を、後方移動用ワイヤー案内ローラー１９ｂ、水平案内ローラー２６および垂直案内ローラー２７を経由して巻き取りプーリー２８に巻き取ることにより、保護ガラス枠２０は本体部１側へ移動される。
【００１７】
以上のように、実施の形態３では、保護ガラス枠２０をスライド移動させる駆動手段４０ａを補助するものとして、前方移動用ワイヤー１８と後方移動用ワイヤー１９を設けたので、スライド移動機構３０ｂに傾斜板やテコ部品等の部材を設ける必要がなく、また保護ガラス枠２０の自重に頼らずに人力で容易且つ安全に保護ガラス枠２０を移動させることができる。
【００１８】
【発明の効果】
以上のように、本発明によれば、大型映像表示装置の保護枠を本体部の前方へ容易に移動できるので、本体部の前方に十分な空間があれば本体部と保護枠の間隔を十分にとることができ、従来に比べて保守、調整の際に必要なスペースが縮小され、設置場所の制約が解消される。また、簡単な構造であるため安価で製造でき、十分な強度も得られる。
【図面の簡単な説明】
【図１】本発明の実施の形態１である大型映像表示装置を示す概略斜視図である。
【図２】本発明の実施の形態１である大型映像表示装置の構成を示す断面図である。
【図３】本発明の実施の形態２である大型映像表示装置の構成を示す断面図である。
【図４】本発明の実施の形態３である大型映像表示装置を示す概略斜視図である。
【符号の説明】
１  本体部、２  映像表示部、３、３ａ、３ｂ  スライドガイド、４  ラック、５  ローラーガイド、６、６ａ  傾斜板、７、７ａ  ピン、８  押上棒、
９、１３  テコ部品、１０、１１  連結用ワイヤー、１２  ターンバックル、
１４  連結棒、１５  ジャッキボルト、１６  水切り部、１７、１７ａ  ハンドル、１８  前方移動用ワイヤー、１８ａ  前方移動用ワイヤー固定具、
１８ｂ  前方移動用ワイヤー案内ローラー、１９  後方移動用ワイヤー、
１９ａ  後方移動用ワイヤー固定具、１９ｂ  後方移動用ワイヤー案内ローラー、２０  保護ガラス枠、２１  ローラー、２２  ピニオン、２３  シャフト、
２４  ベアリングユニット、２５  パッキン、２６  水平案内ローラー、
２７  垂直案内ローラー、２８  巻き取りプーリー、２９  傾斜板止め、
３０、３０ａ、３０ｂ  スライド移動機構、３１  一端部、３２  他端部、
４０、４０ａ  駆動手段、１００、１０１、１０２  大型映像表示装置。
【図１】
2004317862.tif 000003
【図２】
2004317862.tif 000004
【図３】
2004317862.tif 000005
【図４】
2004317862.tif 000006